(57)【要約】      （修正有）【課題】遺骨を土に還すことができ、無駄を省き、また流通過程において、コストダウンを計ることができる組立納骨容器を提供する。【解決手段】一枚の厚紙からなり、当該厚紙を所定部位より折り、組立てて箱状とする。組立てられた納骨容器は、角筒状で底を有し、上部は屋根形とすると共に、当該屋根部分を開くことにより納骨口を形成すべく構成し、屋根の上端、即ち棟部分を適宜の紐で緊着し納骨口を閉じるべく構成する。【選択図】図１
0003154283.tif 000002
【実用新案登録請求の範囲】
【請求項１】
一枚の厚紙からなり、当該厚紙を所定部位より折り、組立てて箱状とした納骨容器であり、組立てられた納骨容器は、角筒状で底を有し、上部は屋根形とすると共に、当該屋根部分を開くことにより納骨口を形成すべく構成し、屋根の上端、即ち棟部分を適宜の紐で緊着し納骨口を閉じるべく構成してなる厚紙からなる組立納骨容器。
【請求項２】
前記納骨容器の屋根部分前面には、紙、不織布、水引等からなる装飾体を装着してなる請求項１の厚紙からなる組立納骨容器。
【請求項３】
容器内部の底及び周面に、表面に不燃剤を塗布した補強体を格納してなる請求項１の厚紙からなる組立納骨容器。
【考案の詳細な説明】
【技術分野】
【０００１】  本考案は、骨つぼと骨箱、更には骨箱を収納する袋体等の改良に関するものである。
【背景技術】
【０００２】  従来より骨つぼは陶磁器製からなる蓋付容器が一般的であり、当該骨つぼを桐材等からなる骨箱に収納し、更に当該骨箱を白布で包むか、或いは装飾を施した袋体に収納している。【０００３】  一方、納骨の方法は、現在では納骨堂或いは墓の納骨室に骨つぼのまま納骨するのが主流になっているが、昔は人が亡くなると、その遺体を棺桶に納めて、地面に穴を掘り、地下へ埋葬していたことから分かるように、遺骨は土に還すということが本来の考えであり、現在でも、宗派又は地方によっては四十九日の法要後、遺骨は骨つぼから出して墓の納骨室内に散骨されていることが多い。即ち、納骨堂或いは墓の納骨室に骨壷のまま納骨する場合を除けば、極端な言い方ではあるが、骨つぼは火葬場から墓地へ遺骨を運ぶための容器でしかないのである。【０００４】  また現在の骨つぼは磁器製品がほとんどであり、納骨室内に遺骨を散骨した後、その骨つぼの処理という問題もあった。住職等は、使用済みの骨つぼは小さく割って、屋敷内の人の踏まないような場所に埋めなさいというが、実際に割って屋敷内に埋めるというのも遺骨が入っていた骨つぼということから、なかなか難しい問題もあり、仮に屋敷内に埋めるとしても広い屋敷を有している田舎の家はそれが可能としても、都会に居住する人たちにとっては困難なことであり、場合に寄っては、割って不燃ごみとして出すようなこともあったのである。【０００５】  また納骨室内に散骨する場合も、そのまま散骨しないで、生分解性を有する木綿の袋等に納めて納骨室内に納めることが良いといわれ、しかもその袋には、般若心経等の経文を書き込んでおけば故人も成仏できるといわれている。
【考案の開示】
【考案が解決しようとする課題】
【０００６】  解決しようとする問題点は、骨つぼを陶磁器製のつぼではなく、遺骨を土に還すことのできるつぼを開発すること、更には現在、骨つぼ、骨箱、白布または装飾用袋体の３点を使用している無駄を省くこと、また流通過程において、コストダウンを計ること、これが考案が解決しようとする課題である。
【課題を解決するための手段】
【０００７】  本考案は、納骨された遺骨を土に還す手段として、骨つぼを紙等の生分解性を有する材料で成形すること、更には、骨つぼ、骨箱、白布または装飾用袋体の３点を収納容器１個でまかなうこと、流通過程において、箱状に組立てる納骨容器を展開した状態、即ち一枚の紙板とすること、これらが課題を解決するための手段である。
【考案の効果】
【０００８】  従来は陶磁器の単なる白いつぼであり、遺骨を骨つぼにいれたまま納骨しておく場合には問題はなかったものの、四十九日の法要終了後に遺骨を骨つぼから出して納骨室内に散骨する場合には、散骨した後の骨つぼの処理に問題があり、また散骨する場合にも木綿の袋等に入れて納骨室内に入れていたが、本考案では、一枚の厚紙からなり、当該厚紙を所定部位より折り、組立てて箱状とした納骨容器であり、組立てられた納骨容器は、角筒状で底を有し、上部は屋根形とすると共に、当該屋根部分を開くことにより納骨口を形成すべく構成し、屋根の上端、即ち棟部分を適宜の紐で緊着し納骨口を閉じるべく構成してなる厚紙からなる組立納骨容器であり、更には、前記納骨容器の屋根部分前面には、紙、不織布、水引等からなる装飾体を装着してなる厚紙からなる組立納骨容器であり、更には、容器内部の底及び周面に、表面に不燃剤を塗布した補強体を格納してなる厚紙からなる組立納骨容器であるから、当該組立納骨容器のまま墓の納骨室に入れておいても、月日がたてば容器は生分解して遺骨は土に還るものである。また遺骨を納骨室内に散骨するにしても、容器は燃やすことが可能であり、骨つぼの処置に困ることは無い。しかも従来は骨つぼを桐材等の骨箱に収納し、更に白布で包んだり、装飾用の袋体に収納していたが、本考案では本体が従来の骨箱と装飾用の袋体を兼用した形状となっているので、従来３点用いていたものが納骨容器１個のみでまかなえるものである。更に本考案は組立式の納骨容器であり、流通過程においては角筒状のものを折畳んだ状態、即ち二枚の紙板となるので、大量輸送が容易であり、流通コストを大幅に軽減することができる。しかも、納骨容器内には底と周面を補強し且つ断熱効果が得られる補強体を格納しているので、納骨容器そのものの強度アップも図れ、また遺骨収納時に時間的な要因から遺骨の温度が高い場合にも、外部に熱は伝わらず、しかも補強体の表面には不燃剤を塗布しているので納骨容器が紙材とはいえ発火する憂いはない。また当該納骨容器の背面に般若心経等夫々の宗旨の経文を表現しておけば、故人も成仏できるものである等、極めて顕著なる実用的な効果を有するものである。
【考案を実施するための最良の形態】
【０００９】  本考案は、一枚の厚紙からなり、当該厚紙を所定部位より折り、組立てて箱状とした納骨容器であり、組立てられた納骨容器は、角筒状で底を有し、上部は屋根形とすると共に、当該屋根部分を開くことにより納骨口を形成すべく構成し、屋根の上端、即ち棟部分を適宜の紐で緊着し納骨口を閉じるべく構成してなる厚紙からなる組立納骨容器であり、更には、前記納骨容器の屋根部分前面には、紙、不織布、水引等からなる装飾体を装着してなる請求項１の厚紙からなる組立納骨容器であり、更には、容器内部の底及び周面に、表面に不燃剤を塗布した補強体を格納してなる請求項１の厚紙からなる組立納骨容器を呈せんとするものである。
【実施例１】
【００１０】  図１は本考案に係る厚紙からなる納骨容器の斜視図で、底を有する角筒状の容器１と、その上部に位置する屋根形部分２により構成されている。３は棟部分、４は装飾体、５は縛り紐である。【００１１】  図２は当該納骨容器１の展開図であり、ａは筒状に形成するための折り線、ｂは底部を形成するための折り線、ｃは屋根形部分２を形成するための折り線、ｄは同じく屋根の切妻部分を形成するための折り線、ｅは屋根の棟部分３を形成するための折り線である。【００１２】  図２に示す接着部６は、折り線ａを折り曲げて接着部６と本体端部を貼着し、図１６に示すように角筒を折畳んだ状態とする。流通時にはこの形状で多数個を箱詰めすべく構成している。開けば図３に示すように角筒状となる。【００１３】  次に図２に示す折り線ｂを折り曲げ、底部を形成するのであるが、図４に示すように、先ず中舌片７を折り線ｂに沿って折り曲げ、次いで図５に示すように、外舌片８を同じく折り線ｂに沿って折り曲げる。この際、図２に示す中舌片７の二点破線で示す部分７‘と外舌片８の同じく二点破線で示す部分８’は接着している。外舌片８、８は図６に示すように互いに係合させて固定すべく構成している。前記接着であるが、互いの外舌片８、８を係合せしめてこていしていること、更に底補強体１３を入れることから、必ずしも接着が必要とするものではない。【００１４】  次に屋根形部分２を形成するのであるが、まず図７に示すように、切妻部分の折り線ｄを、外方向ら内方向に押すように折り曲げ、同時に折り線ｃも折り曲げる。次いで棟舌片９を折り線ｆで折り、棟部分３を形成する反対側の隙間１０に挿入し、図９に示すように屋根形部分２を形成する。この際棟部分３は折り線ｅを折ることにより形成される。【００１５】  次いで図１１に示すように、縛り紐５を穴１１に挿通し、裏側で縛り結んで棟部分３を形成する。当該縛り紐５の材料を不織布とし、その両端部に房を形成すれば装飾体４を兼用することも可能である。【００１６】  図１０に示す装飾体４は本考案実施例においては水引細工としているが、これは和紙、不織布等を用いた装飾体４としてもよい。【００１７】  図１２は補強体１２の展開図で、図１３に示すように折り曲げて各筒状とする。但し、端部は開放されたままであり、固着されてはいない。これは納骨容器１内に挿入する際に容易としたものである。本補強体１２はダンボールにて形成されており、内面には不燃剤を塗布している。図１４は納骨容器１の底部に入れる底部補強体１３で、同じく表面に不燃剤を塗布している。図１５は納骨容器１に補強体１２及び底部補強体１３を装着した状態を表している。【００１８】  納骨容器１内に遺骨を収納する場合は、棟部分３の縛り紐５を解き、更に棟舌片９を抜いて納骨容器１の上部を図１５に示すように開放する。納骨後は、棟舌片９を反対側の隙間１０に差込み、縛り紐５を穴１１に挿通し、裏側で縛り結んで閉じるべく構成している。
【産業上の利用可能性】
【００１９】  本考案では、一枚の厚紙からなり、当該厚紙を所定部位より折り、組立てて箱状とした納骨容器１であり、組立てられた納骨容器１は、角筒状で底を有し、上部は屋根形２とすると共に、当該屋根形部分２を開くことにより納骨口１４を形成すべく構成し、屋根の上端、即ち棟部分を適宜の紐で緊着し納骨口１４を閉じるべく構成してなる厚紙からなる組立納骨容器１であり、更には、前記納骨容器の屋根形部分２前面には、紙、不織布、水引等からなる装飾体４を装着してなる厚紙からなる組立納骨容器１であり、更には、容器１内部の底及び周面に、表面に不燃剤を塗布した補強体１２、１３を格納してなる厚紙からなる組立納骨容器１であるから、当該組立納骨容器１のまま墓の納骨室に入れておいても、月日がたてば容器は生分解して遺骨は土に還るものである。また遺骨を納骨室内に散骨するにしても、容器１は燃やすことが可能であり、骨つぼの処置に困ることは無い。しかも従来は骨つぼを桐材等の骨箱に収納し、更に白布で包んだり、装飾用の袋体に収納していたが、本考案では本体が従来の骨箱と装飾用の袋体を兼用した形状となっているので、従来３点用いていたものが納骨容器１個のみでまかなえるものである。更に本考案は組立式の納骨容器１であり、流通過程においては角筒状のものを折畳んだ状態、即ち二枚の紙板となるので、大量輸送が容易であり、流通コストを大幅に軽減することができる。しかも、納骨容器内には底と周面を補強し且つ断熱効果が得られる補強体１２、１３を格納しているので、納骨容器１そのものの強度アップも図れ、また遺骨収納時に時間的な要因から遺骨の温度が高い場合にも、外部に熱は伝わらず、しかも補強体１２、１３の表面には不燃剤を塗布しているので納骨容器１が紙材とはいえ発火する憂いはない。しかも、紙製の納骨容器１であり、装飾体４も水引等にしているので地域産業資源を活用することができる等、産業上での利用可能性は極めて大きいものがある。
【図面の簡単な説明】
【００２０】
【図１】  納骨容器斜視図
【図２】  納骨容器展開図
【図３】  貼着部分を示す斜視図
【図４】  底の折畳みを示す平面図
【図５】  底の折畳みを示す平面図
【図６】  底の折畳んだ状態を示す平面図
【図７】  屋根形部分の組立を示す平面図
【図８】  屋根形部分の組立を示す平面図
【図９】  屋根形部分の組立を示す平面図
【図１０】  装飾体を示す斜視図
【図１１】  屋根形部分の棟部の縛りを示す斜視図
【図１２】  補強体の展開図
【図１３】  補強体の斜視図
【図１４】  底部補強体の平面図
【図１５】  屋根形部分を開いた状態を示す平面図
【図１６】  流通時の形態を示す平面図
【符号の説明】
【００２１】１    納骨容器
２    屋根形部分
３    棟部分
４    装飾体
５    縛り紐
６    接着部
７    中舌片
８    外舌片
９    棟舌片
１０  隙間
１１  穴
１２  補強体
１３  底部補強体
１４  納骨口
ａ    折り線
ｂ    折り線
ｃ    折り線
ｄ    折り線
ｅ    折り線
ｆ    折り線
【図１】
0003154283.tif 000003
【図２】
0003154283.tif 000004
【図３】
0003154283.tif 000005
【図４】
0003154283.tif 000006
【図５】
0003154283.tif 000007
【図６】
0003154283.tif 000008
【図７】
0003154283.tif 000009
【図８】
0003154283.tif 000010
【図９】
0003154283.tif 000011
【図１０】
0003154283.tif 000012
【図１１】
0003154283.tif 000013
【図１２】
0003154283.tif 000014
【図１３】
0003154283.tif 000015
【図１４】
0003154283.tif 000016
【図１５】
0003154283.tif 000017
【図１６】
0003154283.tif 000018